(57)【要約】【課題】データ記録再生装置において、タイムシフト再生の状態から長期保存領域に記録された番組データを再生させる際のユーザの操作を簡略化する。【解決手段】タイムシフト再生中に切替えキーが操作されると、ナビゲーション画面が表示される（Ｓ１０３）。ナビゲーション画面が表示されたときに、録画済み番組指定操作がなされると、当該録画済み番組指定操作により指定された番組の再生がなされる（Ｓ１０７）。一方、ナビゲーション画面が表示されたときに、録画済み番組指定操作に関与しない再生キーが操作されると、停止キーが操作されるまで、ハードディスクの録画領域に録画された番組が、順次、再生され続ける（Ｓ１０９〜Ｓ１２１）。具体的には、停止キーが操作されるまで、録画領域に録画された番組が、１番目から順に再生され、最後の番組まで再生が終わると、また、１番目から順に再生され続ける。【選択図】        図５
2004343324.tif 000002
【特許請求の範囲】
【請求項１】
映像データおよび／または音声データを含む番組データを受信し、その記録および／または再生を行なうデータ記録再生装置であって、
ユーザからの指示の入力を受付ける入力手段と、
前記受信した番組データを記録する記録手段と、
前記記録手段に記録された番組データを再生させる再生手段と、
外部から情報を入力するための入力手段とを含み、
前記記録手段は、前記番組データを一時記録するリングバッファである一時保存領域と、前記番組データを複数記録可能な長期記録する長期保存領域とを備え、
前記記録手段および前記再生手段に、少なくとも、前記一時保存領域に番組データを記録するのと同時に当該番組データを再生するタイムシフト再生を実行させる制御手段と、
前記長期保存領域に記録されている各番組データについての情報を記録する再生情報記録部とをさらに含み、
前記入力手段は、前記長期保存領域に記録された番組データの中で再生を希望する番組データを特定する情報を入力するための第１の入力部と、前記第１の入力部により特定された番組データの再生を希望する情報を入力するための第２の入力部と、前記長期保存領域に記録された番組データの再生を番組データを特定することなく希望する情報を入力するための第３の入力部とを備え、
前記制御手段は、
前記長期保存領域に記録されている各番組データについて、前記再生手段に再生されたときに、前記再生情報記録部に、再生済みである旨の情報を記録し、
前記制御手段は、
前記長期保存領域に記録されている各番組データについて、前記再生手段に再生されたときに、前記再生情報記録部に、再生済みである旨の情報を記録し、
前記再生手段に、前記タイムシフト再生が実行されているときに前記第１の入力部および前記第２の入力部に情報の入力があった場合には、前記特定された番組データを再生させる第１の制御を実行し、前記タイムシフト再生が実行されているときに前記第３の入力部に情報の入力があった場合には、前記長期保存領域に記録されている番組データの中の前記再生情報記録部に再生済みである旨の情報が記録されていない番組データのみを連続的に再生させる第２の制御を実行する、
データ記録再生装置。
【請求項２】
映像データおよび／または音声データを含む番組データを受信し、その記録および／または再生を行なうデータ記録再生装置であって、
ユーザからの指示の入力を受付ける入力手段と、
前記受信した番組データを記録する記録手段と、
前記記録手段に記録された番組データを再生させる再生手段と、
外部から情報を入力するための入力手段とを含み、
前記記録手段は、前記番組データを一時記録するリングバッファである一時保存領域と、前記番組データを複数記録可能な長期記録する長期保存領域とを備え、
前記入力手段は、前記長期保存領域に記録された番組データの中で再生を希望する番組データを特定する情報を入力するための第１の入力部と、前記第１の入力部により特定された番組データの再生を希望する情報を入力するための第２の入力部と、前記長期保存領域に記録された番組データの再生を番組データを特定することなく希望する情報を入力するための第３の入力部とを備え、
前記記録手段および前記再生手段に、少なくとも、前記一時保存領域に番組データを記録するのと同時に当該番組データを再生するタイムシフト再生を実行させる制御手段をさらに含み、
前記制御手段は、前記再生手段に、前記タイムシフト再生が実行されているときに前記第１の入力部および前記第２の入力部に情報の入力があった場合には、前記特定された番組データを再生させる第１の制御を実行し、前記タイムシフト再生が実行されているときに前記第３の入力部に情報の入力があった場合には、前記長期保存領域に記録されている番組データを連続的に再生させる第２の制御を実行する、データ記録再生装置。
【請求項３】
前記長期保存領域に記録されている各番組データについての情報を記録する再生情報記録部をさらに含み、
前記制御手段は、
前記長期保存領域に記録されている各番組データについて、前記再生手段に再生されたときに、前記再生情報記録部に、再生済みである旨の情報を記録し、
前記第２の制御において、前記長期保存領域に記録されている番組データの中で、前記再生情報記録部に再生済みである旨の情報が記録されていない番組データのみを、連続的に再生させる、請求項２に記載のデータ記録再生装置。
【発明の詳細な説明】
【０００１】
【発明の属する技術分野】
本発明は、データ記録再生装置に関し、特に、映像データおよび／または音声データを含む番組データを受信し、その記録および／または再生を行ない、当該番組データを一時記録する一時保存領域と長期記録する長期保存領域とを備え、さらに、当該一時保存領域に番組データを記録するのと同時に当該番組データを再生するタイムシフト再生が可能なデータ記録再生装置に関する。
【０００２】
【従来の技術】
従来から、上記したようなタイムシフト再生が可能なデータ記録再生装置において、長期保存領域に記録された番組データの再生において利便性を向上させるための技術が種々開示されてきた。
【０００３】
たとえば、特許文献１には、タイムシフト再生時において、長期保存領域に記録された番組データを再生する際に、ユーザに、複数の番組データ（ファイル）を選択させて、当該複数の番組データを順次再生するディジタル放送の録画再生装置が開示されている。
【０００４】
【特許文献１】
特開２００１−３２０６５７公報
【０００５】
【発明が解決しようとする課題】
しかしながら、特許文献１に開示された技術も含めて、従来、タイムシフト再生の状態から長期保存領域に記録された番組データを再生させるためには、番組データの再生の前に、ユーザが、再生したい番組データを選択する必要があったため、ユーザは、当該番組データの再生のための操作がより簡略化されることを望んでいた。
【０００６】
ここで、従来のデータ記録再生装置における、長期保存領域に記録された番組データの再生の際に行なわれる処理について、簡単に説明する。当該再生を希望する操作がなされると、図１０に示されるようなナビゲーション画面２０１が表示される。ナビゲーション画面２０１には、長期保存領域に記録された番組データに対応する各ファイルの名称（ファイル名）が表示されている。そして、ユーザは、当該ナビゲーション画面２０１に従って、再生を希望する番組データを選択するための操作を行ない、当該操作に基づいて、番組データの再生が実行されていた。
【０００７】
上記したように、ユーザは、いちいち番組データを選択する必要があったため、当該番組データの再生のための操作がより簡略化されることを望んでいた。特に、店頭等で、データ記録再生装置に、デモンストレーションとして、長期保存領域に記録された番組データを再生させる場合等、長期に渡って連続して再生を行ないたい場合には、操作の簡略化が切望されていた。
【０００８】
本発明は、かかる実情に鑑み考え出されたものであり、その目的は、データ記録再生装置において、タイムシフト再生の状態から長期保存領域に記録された番組データを再生させる際のユーザの操作を簡略化することである。
【０００９】
【課題を解決するための手段】
本発明のある局面に従ったデータ記録再生装置は、映像データおよび／または音声データを含む番組データを受信し、その記録および／または再生を行なうデータ記録再生装置であって、ユーザからの指示の入力を受付ける入力手段と、前記受信した番組データを記録する記録手段と、前記記録手段に記録された番組データを再生させる再生手段と、外部から情報を入力するための入力手段とを含み、前記記録手段は、前記番組データを一時記録するリングバッファである一時保存領域と、前記番組データを複数記録可能な長期記録する長期保存領域とを備え、前記記録手段および前記再生手段に、少なくとも、前記一時保存領域に番組データを記録するのと同時に当該番組データを再生するタイムシフト再生を実行させる制御手段と、前記長期保存領域に記録されている各番組データについての情報を記録する再生情報記録部とをさらに含み、前記入力手段は、前記長期保存領域に記録された番組データの中で再生を希望する番組データを特定する情報を入力するための第１の入力部と、前記第１の入力部により特定された番組データの再生を希望する情報を入力するための第２の入力部と、前記長期保存領域に記録された番組データの再生を番組データを特定することなく希望する情報を入力するための第３の入力部とを備え、前記制御手段は、前記長期保存領域に記録されている各番組データについて、前記再生手段に再生されたときに、前記再生情報記録部に、再生済みである旨の情報を記録し、前記制御手段は、前記長期保存領域に記録されている各番組データについて、前記再生手段に再生されたときに、前記再生情報記録部に、再生済みである旨の情報を記録し、前記再生手段に、前記タイムシフト再生が実行されているときに前記第１の入力部および前記第２の入力部に情報の入力があった場合には、前記特定された番組データを再生させる第１の制御を実行し、前記タイムシフト再生が実行されているときに前記第３の入力部に情報の入力があった場合には、前記長期保存領域に記録されている番組データの中の前記再生情報記録部に再生済みである旨の情報が記録されていない番組データのみを連続的に再生させる第２の制御を実行することを特徴とする。
【００１０】
本発明の他の局面に従ったデータ記録再生装置は、映像データおよび／または音声データを含む番組データを受信し、その記録および／または再生を行なうデータ記録再生装置であって、ユーザからの指示の入力を受付ける入力手段と、前記受信した番組データを記録する記録手段と、前記記録手段に記録された番組データを再生させる再生手段と、外部から情報を入力するための入力手段とを含み、前記記録手段は、前記番組データを一時記録するリングバッファである一時保存領域と、前記番組データを複数記録可能な長期記録する長期保存領域とを備え、前記入力手段は、前記長期保存領域に記録された番組データの中で再生を希望する番組データを特定する情報を入力するための第１の入力部と、前記第１の入力部により特定された番組データの再生を希望する情報を入力するための第２の入力部と、前記長期保存領域に記録された番組データの再生を番組データを特定することなく希望する情報を入力するための第３の入力部とを備え、前記記録手段および前記再生手段に、少なくとも、前記一時保存領域に番組データを記録するのと同時に当該番組データを再生するタイムシフト再生を実行させる制御手段をさらに含み、前記制御手段は、前記再生手段に、前記タイムシフト再生が実行されているときに前記第１の入力部および前記第２の入力部に情報の入力があった場合には、前記特定された番組データを再生させる第１の制御を実行し、前記タイムシフト再生が実行されているときに前記第３の入力部に情報の入力があった場合には、前記長期保存領域に記録されている番組データを連続的に再生させる第２の制御を実行することを特徴とする。
【００１１】
また、本発明の他の局面に従ったデータ記録再生装置は、前記長期保存領域に記録されている各番組データについての情報を記録する再生情報記録部をさらに含み、前記制御手段は、前記長期保存領域に記録されている各番組データについて、前記再生手段に再生されたときに、前記再生情報記録部に、再生済みである旨の情報を記録し、前記第２の制御において、前記長期保存領域に記録されている番組データの中で、前記再生情報記録部に再生済みである旨の情報が記録されていない番組データのみを、連続的に再生させることが好ましい。
【００１２】
【発明の実施の形態】
以下に、本発明の実施の形態を、図面を参照しつつ詳細に説明する。
【００１３】
［第１の実施の形態］
図１は、本発明のデータ記録再生装置の第１の実施の形態である情報記録再生装置１００の構成を示す図である。
【００１４】
図１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ（Ｍｏｖｉｎｇ  Ｐｉｃｔｕｒｅ  Ｅｘｐｅｒｔｓ  Ｇｒｏｕｐ）信号を得て、これをＭＰＥＧ信号Ｍ１としてハードディスク装置１２に供給する。また、チューナ１１は、システム制御回路１０からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００１５】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤＡＶとしてセレクタ１８に供給する。
【００１６】
ＯＳＤ（Ｏｎ  Ｓｃｒｅｅｎ  Ｄｉｓｐｌａｙ）画像生成回路１９は、システム制御回路１０から供給された各種メッセージ表示指令に応じた画像を表示させるべきメッセージ画像信号ＤＣ  を生成し、これをセレクタ１８に供給する。セレクタ１８は、上記映像信号ＤＡＶおよびメッセージ画像信号ＤＣ  の中から、システム制御回路１０から供給された選択信号に応じた方を択一的に選択し、これをディスプレイ装置２００に供給する。
【００１７】
ディスプレイ装置２００は、情報記録再生装置１００から供給された上記映像信号ＤＡＶ、またはメッセージ画像信号ＤＣ  に基づく画像表示を行なう。
【００１８】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００１９】
操作装置２２を用いたユーザによる各種操作に応じて、システム制御回路１０は、情報記録再生装置１００に、録画動作、および、タイムシフト再生動作を実施させることができる。
【００２０】
録画動作は、チューナ１１にて受信された番組を録画するための動作である。この場合、ユーザは、上記操作装置２２を用いて録画指令操作を行なう。このような録画指令操作に応じて、システム制御回路１０は、記録指令信号をハードディスク装置１２に供給する。さらに、システム制御回路１０は、チューナ１１にて受信して得られた上記ＭＰＥＧ信号Ｍ１またはＭ２のビットレートに応じた記録速度信号ＳＷ  を求め、これを内蔵レジスタ（図示略）に記憶させると共に、ライトポジションカウンタに供給する。これにより、ハードディスク装置１２は、ピックアップ装置１２１を備え、上記ＭＰＥＧ信号Ｍ１またはＭ２を上記ライトポジションＷＰにて示されるタイムシフト領域１２０Ａ内の位置から上記記録速度信号ＳＷ  に応じた速度で、ピックアップ装置１２１を用いて、順次記録していく。
【００２１】
タイムシフト再生動作とは、上記したような録画動作と同時に、録画済みの番組の再生を行なう、いわゆるタイムシフト再生を実施するための動作である。この場合、ユーザは、上記操作装置２２を用いて再生指令操作を行なう。
【００２２】
図２に、操作装置２２の平面図を示す。上記した操作装置２２を用いての各操作を、操作装置２２に備えられたキーを用いて説明する。
【００２３】
放送チャンネル指定操作は、０〜９の各数字に対応して設けられたテンキー２２９を用いて行なわれる。
【００２４】
録画済み番組指定操作は、タイムシフト再生動作中に切替えキー２２０が操作された際に、当該切替えキー２２０が操作されることにより表示される画面（後述するナビゲーション画面）に対して、テンキー２２９を用いて番組が特定され、さらに、決定キー２２２が操作されることにより当該特定された番組が指定されることとによって、行なわれる。つまり、本実施の形態では、テンキー２２９により、長期保存領域に記録された番組データの中で再生を希望する番組データを特定する情報を入力するための第１の入力部が構成される。また、決定キー２２２により、第１の入力部により特定された番組データの再生を希望する情報を入力するための第２の入力部が構成される。
【００２５】
録画指令操作は、録画キー２２３が操作されることにより行なわれる。
録画停止操作、および、再生停止操作は、録画動作中または再生動作中に停止キー２２５が操作されることにより行なわれる。
【００２６】
再生指令操作は、録画済み番組指定操作が行なわれている場合に、停止キー２２５が操作されて停止されている再生動作を再開させるために、再生キー２２４が操作されることにより行なわれる。
【００２７】
また、電源キー２２１が操作されることにより、情報記録再生装置１００への電源の投入のＯＮ−ＯＦＦが切替えられる。早送りキー２２８が操作されることにより、録画された画像の再生位置が早送りされ、巻戻しキー２２７が操作されることにより、録画された画像の再生位置が巻戻しされる。一時停止キー２２６が操作されることにより、再生中の録画画像の再生動作が一時停止され、また、一時停止中の再生動作が再開される。
【００２８】
図３に、ハードディスク装置１２が備える記録媒体であるハードディスク１２０の記憶領域の内容を模式的に示す。
【００２９】
ハードディスク１２０は、リングバッファであるタイムシフト領域１２０Ａと、情報を長期記録するための録画領域１２０Ｂとを含む。なお、ハードディスク１２０におけるタイムシフト領域１２０Ａと録画領域１２０Ｂの領域の大きさは、たとえば、ユーザにより操作装置２２を介して入力された情報に基づいて決定される。また、ハードディスク１２０において、タイムシフト領域１２０Ａの位置および録画領域１２０Ｂの位置は、システム制御回路１０内の図示せぬメモリに各領域のアドレスが記録されることにより、管理されている。
【００３０】
図４に、情報記録再生装置１００においてタイムシフト再生が行なわれる際の、ハードディスク１２０における記録位置および再生位置を模式的に示す。
【００３１】
タイムシフト再生では、ハードディスク１２０のタイムシフト領域１２０ＡのライトポイントＷＰに対して録画動作が行なわれ、リードポイントＲＰに対して再生動作が行なわれる。タイムシフト領域１２０Ａは、リングバッファにより構成されるため、タイムシフト再生における録画動作は、タイムシフト領域１２０Ａの最後まで行なわれても、当該タイムシフト領域１２０Ａを繰返し用いるように行なわれる。
【００３２】
情報記録再生装置１００は、このようなタイムシフト再生が行なわれているときに、切替えキー２２０が操作されると、録画領域１２０Ｂに録画された番組を再生できる。録画された番組を再生するためにシステム制御回路１０が実行する録画再生処理について、そのフローチャートである図５を参照して、以下に説明する。
【００３３】
タイムシフト再生中に、システム制御回路１０は、Ｓ１０１で、切替えキー２２０に対する操作の有無を判断し、操作があったと判断すると、Ｓ１０３に処理を進める。
【００３４】
Ｓ１０３で、システム制御回路１０は、ディスプレイ装置２００に、録画領域１２０Ｂに録画された各番組に対応する各ファイルの名称（ファイル名）の一覧である、図１０に示したようなナビゲーション画面を表示させ、Ｓ１０５に処理を進める。
【００３５】
Ｓ１０５で、システム制御回路１０は、操作装置２２に対する操作を待つ。そして、操作装置２２に対して操作があったと判断した場合、当該操作が録画済み番組指定操作であると判断するとＳ１０７へ、当該操作が再生キー２２４に対して操作があったと判断するとＳ１０９へ、それぞれ処理を進める。
【００３６】
Ｓ１０７で、システム制御回路１０は、録画済み番組指定操作により指定された番組を再生して、Ｓ１０３に処理を戻す。
【００３７】
Ｓ１０９で、システム制御回路１０は、後述するＳ１１１以降の処理に使用するカウンタＮの値を１にセットして、処理をＳ１１１に進める。
【００３８】
Ｓ１１１で、システム制御回路１０は、録画領域１２０Ｂにおいて、Ｎ番目に録画された番組を読出し、再生し、Ｓ１１３に処理を進める。
【００３９】
Ｓ１１３で、システム制御回路１０は、停止キー２２５が操作されたか否かを判断する。そして、停止キー２２５が操作されたと判断すると、番組の再生を停止させてＳ１０３に処理を戻し、操作されていないと判断すると、Ｓ１１５に処理を進める。
【００４０】
Ｓ１１５で、システム制御回路１０は、Ｎ番目の番組の再生が終了したか否かを判断する。そして、終了したと判断すると、Ｓ１１７に処理を進め、まだ終了していないと判断すると、Ｓ１１３に処理を戻す。
【００４１】
Ｓ１１７で、システム制御回路１０は、現在のＮ番目の番組が、録画領域１２０Ｂに録画された最後の番組か否かを判断する。そして、最後の番組ではないと判断するとＳ１１９でＮを１加算更新してＳ１１１に処理を戻し、最後の番組であると判断するとＳ１２１でＮを１に戻してＳ１１１に処理を戻す。
【００４２】
以上説明した録画再生処理では、タイムシフト再生中に切替えキー２２０が操作されると、図１０に示したようなナビゲーション画面が表示される。そして、ナビゲーション画面が表示されたときに、録画済み番組指定操作がなされると、当該録画済み番組指定操作により指定された番組の再生がなされる。
【００４３】
一方、ナビゲーション画面が表示されたときに、録画済み番組指定操作に関与しない再生キー２２４が操作されると、停止キー２２５が操作されるまで、録画領域１２０Ｂに録画された番組が、順次、再生され続ける。具体的には、停止キー２２５が操作されるまで、録画領域１２０Ｂに録画された番組が、１番目から順に再生され、最後の番組まで再生が終わると、また、１番目から順に再生され続ける。
【００４４】
なお、以上説明した録画再生処理は、図４に示したように、タイムシフト再生のライトポイントＷＰとリードポイントＲＰとの間隔が３０分程度開いている場合にも適用可能であれば、図６に示すように、３秒程度の、近接している場合にも適用できる。さらに、図７に示すように、タイムシフト再生のライトポイントＷＰが録画領域１２０ＢにありリードポイントＲＰがタイムシフト領域１２０Ａにある場合にも適用できる。
【００４５】
［第２の実施の形態］
図８は、本発明のデータ記録再生装置の第２の実施の形態である情報記録再生装置３００の構成を示す図である。
【００４６】
本実施の形態の情報記録再生装置３００は、第１の実施の形態として説明した情報記録再生装置１００に対して、システム制御回路１０に録画領域１２０Ｂに録画された番組についての情報を記憶するメモリ１０Ａを追加したものであり、他の構成要素の働きは同じものである。
【００４７】
メモリ１０Ａには、表１に「再生情報」として示すように、録画領域１２０Ｂに録画された各番組に対応するファイルについて、ファイル名と、当該ファイルが再生されたかまだ再生されていないかが、互いに関連付けられて記憶されている。なお、以下に示す表１では、対応するファイルが一度でも再生されている場合には「○」、まだ再生されていない場合には「×」と記載されている。
【００４８】
【表１】
2004343324.tif 000003
【００４９】
次に、本実施の形態のシステム制御回路１０が実行する録画再生処理について、そのフローチャートである図９を参照して、以下に説明する。
【００５０】
タイムシフト再生中に、システム制御回路１０は、Ｓ２０１で、切替えキー２２０に対する操作の有無を判断し、操作があったと判断すると、Ｓ２０３に処理を進める。
【００５１】
Ｓ２０３で、システム制御回路１０は、ディスプレイ装置２００に、図１０に示したようなナビゲーション画面を表示させ、Ｓ２０５に処理を進める。
【００５２】
Ｓ２０５で、システム制御回路１０は、操作装置２２に対する操作を待つ。そして、操作装置２２に対して操作があったと判断した場合、当該操作が録画済み番組指定操作であると判断するとＳ２０７へ、当該操作が再生キー２２４に対しての操作であったと判断するとＳ２０９へ、それぞれ処理を進める。
【００５３】
Ｓ２０７で、システム制御回路１０は、録画済み番組指定操作により指定された番組を再生し、Ｓ２０８で、再生した番組について表１内の対応する欄を「○」として、Ｓ２０３に処理を戻す。
【００５４】
Ｓ２０９で、システム制御回路１０は、表１内の表で「×」のついている番組の中で最初の（録画領域１２０Ｂにおいてアドレス番号が最も小さい）番組を再生対象番組に設定して、処理をＳ２１１に進める。
【００５５】
Ｓ２１１で、システム制御回路１０は、再生対象番組に設定されている番組を再生し、Ｓ２１３に処理を進める。
【００５６】
Ｓ２１３で、システム制御回路１０は、停止キー２２５が操作されたか否かを判断する。そして、停止キー２２５が操作されたと判断すると、Ｓ２０３に処理を戻し、操作されていないと判断すると、Ｓ２１５に処理を進める。
【００５７】
Ｓ２１５で、システム制御回路１０は、再生中の番組の再生が終了したか否かを判断する。そして、終了したと判断すると、Ｓ２１７に処理を進め、まだ終了していないと判断すると、Ｓ２１３に処理を戻す。
【００５８】
Ｓ２１７で、システム制御回路１０は、現在再生中の番組が、録画領域１２０Ｂ内で、表１に「×」が付けられている最後の番組であるか否かを判断する。そして、最後の番組ではないと判断すると、Ｓ２１９で表１で「×」を付けられている次の番組を再生対象番組に設定してＳ２１１に処理を戻し、最後の番組であると判断するとＳ２０３に処理を戻す。
【００５９】
以上説明した録画再生処理では、ナビゲーション画面が表示されたときに、録画済み番組指定操作がなされると、当該録画済み番組指定操作により指定された番組の再生がなされる。
【００６０】
一方、ナビゲーション画面が表示されたときに、録画済み番組指定操作に関与しない再生キー２２４が操作されると、停止キー２２５が操作されるまで、録画領域１２０Ｂに録画されまだ再生されていない番組が、順次、再生される。
【００６１】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独であっても、可能な限り組合されても、適用可能である。
【００６２】
【発明の効果】
本発明によると、ユーザは、再生を希望する番組データを特定する操作を実行して当該番組データを再生させることもできる上に、再生を希望する番組を特定する操作をすることなく番組データを再生させることができる。これにより、デモンストレーションのように番組データの種類を問わず番組データの再生を希望する場合等、ユーザが再生させる番組データの特定を必要としない場合には、番組データを再生させるための操作が簡略化される。
【００６３】
また、本発明によると、データ記録再生装置に記録されユーザがまだ内容を確認していない番組データのみを、簡略化された操作によって、再生させることができる。つまり、ユーザは、まだ内容を確認していない番組データというユーザが優先的に再生させたい番組データを、データ記録再生装置側で選択することによって、簡略化された操作で、このような番組データのみを再生させることができる。したがって、データ記録再生装置の利便性を向上させることができる。
【図面の簡単な説明】
【図１】本発明のデータ記録再生装置の第１の実施の形態である情報記録再生装置の構成を示す図である。
【図２】図１の情報記録再生装置の操作装置の平面図である。
【図３】図１の情報記録再生装置のハードディスク装置が備える記録媒体であるハードディスクの記憶領域の内容を模式的に示す図である。
【図４】図１の情報記録再生装置においてタイムシフト再生が行なわれる際のハードディスクにおける記録位置および再生位置を模式的に示す図である。
【図５】図１の情報記録再生装置のシステム制御回路が実行する録画再生処理のフローチャートである。
【図６】図４に示した、タイムシフト再生時の記録位置および再生位置の変形例を模式的に示す図である。
【図７】図４に示した、タイムシフト再生時の記録位置および再生位置のさらなる変形例を模式的に示す図である。
【図８】本発明のデータ記録再生装置の第２の実施の形態である情報記録再生装置の構成を示す図である。
【図９】図８の情報記録再生装置のシステム制御回路が実行する録画再生処理のフローチャートである。
【図１０】従来のデータ記録再生装置において表示されていたナビゲーション画面を示す図である。
【符号の説明】
１０  システム制御回路、１０Ａ  メモリ、１１  チューナ、１２  ハードディスク装置、１８  セレクタ、１４  ＭＰＥＧエンコーダ、１７  ＭＰＥＧデコーダ、１９  ＯＳＤ画像生成回路、１００，３００  情報記録再生装置、１２０ハードディスク、１２０Ａ  タイムシフト領域、１２０Ｂ  録画領域、２００ディスプレイ装置、２２０  切替えキー、２２１  電源キー、２２２  決定キー、２２３  録画キー、２２４  再生キー、２２５  停止キー、２２９  テンキー。
【図１】
2004343324.tif 000004
【図２】
2004343324.tif 000005
【図３】
2004343324.tif 000006
【図４】
2004343324.tif 000007
【図５】
2004343324.tif 000008
【図６】
2004343324.tif 000009
【図７】
2004343324.tif 000010
【図８】
2004343324.tif 000011
【図９】
2004343324.tif 000012
【図１０】
2004343324.tif 000013